(57)【要約】【課題】原稿トレイの小型化を図ることにより原稿トレイの製造設備の大型化を抑制することが可能な画像読取装置を提供する。【解決手段】この画像形成装置（画像読取装置）１００は、原稿Ｐを読み取るための読取部１１と、読取部１１により読み取られる原稿Ｐが配置される原稿トレイ４２と、読取部１１により読み取られた原稿Ｐが排紙される原稿排紙部４３と、原稿トレイ４２に配置された原稿Ｐの少なくとも一部分を支持し、原稿排紙部４３に排紙された原稿Ｐの排紙方向への移動を規制する排紙ストッパ５０とを備える。【選択図】図２
2016108063.tif 000002
【特許請求の範囲】
【請求項１】
原稿を読み取るための読取部と、
前記読取部により読み取られる前記原稿が配置される原稿トレイと、
前記読取部により読み取られた前記原稿が排紙される原稿排紙部と、
前記原稿トレイに配置された前記原稿の少なくとも一部分を支持し、前記原稿排紙部に排紙された前記原稿の排紙方向への移動を規制する排紙ストッパと、を備える、画像読取装置。
【請求項２】
前記排紙ストッパは、前記原稿排紙部から上方に向かって延びるように形成されている規制部と、
前記規制部の上部から前記原稿の排紙方向に沿って延びるように形成されている原稿支持部とを含む、請求項１に記載の画像読取装置。
【請求項３】
前記原稿トレイは、前記原稿が配置される配置面を有しており、
前記排紙ストッパの前記原稿支持部は、前記原稿トレイの前記配置面の高さ以上の位置で前記原稿を支持する支持面を有する、請求項２に記載の画像読取装置。
【請求項４】
前記排紙ストッパの前記原稿支持部は、前記原稿の排出方向において、前記原稿トレイと離間した位置に設けられている、請求項２または３に記載の画像読取装置。
【請求項５】
前記排紙ストッパの前記原稿支持部は、前記原稿の排紙方向を含む面内における前記排紙方向とは直交する方向において、前記原稿支持部により支持される前記原稿の幅よりも小さい幅を有する、請求項２〜４のいずれか１項に記載の画像読取装置。
【請求項６】
前記排紙ストッパの前記原稿支持部は、前記原稿の排紙方向に沿って前記原稿トレイ側に向かって延びるように形成されており、
前記排紙ストッパは、少なくとも前記原稿支持部が前記排紙方向側に向かって移動可能に構成されている、請求項２〜５のいずれか１項に記載の画像読取装置。
【請求項７】
前記排紙ストッパは、少なくとも前記原稿支持部が前記排紙方向側に向かって回動可能に構成されている、請求項６に記載の画像読取装置。
【請求項８】
前記排紙ストッパは、前記原稿の排紙方向に沿ってスライド移動することによって、前記原稿支持部と前記原稿トレイとの間隔を調整可能に構成されている、請求項２〜７のいずれか１項に記載の画像読取装置。
【請求項９】
原稿を搬送するための搬送部と、
前記搬送部により搬送される前記原稿が配置される原稿トレイと、
前記搬送部により搬送された前記原稿が排紙される原稿排紙部と、
前記原稿トレイに配置された前記原稿の少なくとも一部分を支持し、前記原稿排紙部に排紙された前記原稿の排紙方向への移動を規制する排紙ストッパと、を備える、原稿搬送装置。
【発明の詳細な説明】
【技術分野】
【０００１】
この発明は、画像読取装置および原稿搬送装置に関し、特に、原稿が配置される原稿トレイを備える画像読取装置および原稿搬送装置に関する。
【背景技術】
【０００２】
従来、原稿が配置される原稿トレイを備える画像読取装置が知られている（たとえば、特許文献１参照）。
【０００３】
上記特許文献１には、原稿を読み取る原稿読取部と、原稿読取部により読み取られた原稿の画像を印刷する画像形成部とを備える画像形成装置（画像読取装置）が開示されている。この画像形成装置では、原稿読取部には、読み取られる原稿が配置される原稿トレイと、原稿の画像を光学的に読み取る光学系ユニットと、原稿トレイに配置された原稿を光学系ユニットに自動的に供給する原稿自動供給部とが設けられている。また、この画像形成装置では、原稿トレイは、原稿の略全体を支持するために、原稿よりも大きくなるように形成されている。また、一般的に、原稿トレイは、原稿と同等かまたは大きくなるように形成されている。
【先行技術文献】
【特許文献】
【０００４】
【特許文献１】特開２００９−１６６９８８号公報
【発明の概要】
【発明が解決しようとする課題】
【０００５】
しかしながら、上記特許文献１に記載の画像形成装置では、原稿よりも大きくなるように原稿トレイが形成されている。また、一般的にも、原稿と同等かまたは大きくなるように原稿トレイが形成されているため、原稿トレイが比較的大きくなってしまうという不都合があると考えられる。この場合、原稿トレイの大きさに比例して、樹脂からなる原稿トレイを成形するための樹脂成形機や樹脂成形金型などの原稿トレイの製造設備も大型化するという問題点がある。
【０００６】
この発明は、上記のような課題を解決するためになされたものであり、この発明の１つの目的は、原稿トレイの小型化を図ることにより原稿トレイの製造設備の大型化を抑制することが可能な画像読取装置および原稿搬送装置を提供することである。
【課題を解決するための手段】
【０００７】
この発明の第１の局面による画像読取装置は、原稿を読み取るための読取部と、読取部により読み取られる原稿が配置される原稿トレイと、読取部により読み取られた原稿が排紙される原稿排紙部と、原稿トレイに配置された原稿の少なくとも一部分を支持し、原稿排紙部に排紙された原稿の排紙方向への移動を規制する排紙ストッパと、を備える。
【０００８】
この発明の第１の局面による画像読取装置では、上記のように、原稿トレイに配置された原稿の少なくとも一部分を支持し、原稿排紙部に排紙された原稿の排紙方向への移動を規制する排紙ストッパを設ける。これにより、原稿トレイに配置された原稿を排紙ストッパにより支持することができるので、その分だけ、原稿トレイを小型化することができる。その結果、原稿トレイを小型化した分だけ、原稿トレイの樹脂成形機や樹脂成形金型を小型化することができるので、原稿トレイの小型化を図ることにより原稿トレイの製造設備の大型化を抑制することができる。また、原稿排紙部に一般的に設けられる排紙ストッパにより原稿を支持することによって、原稿の支持部分を排紙ストッパとは別個に設ける場合と異なり、部品点数が増加するのを抑制することができる。
【０００９】
上記第１の局面による画像読取装置において、好ましくは、排紙ストッパは、原稿排紙部から上方に向かって延びるように形成されている規制部と、規制部の上部から原稿の排紙方向に沿って延びるように形成されている原稿支持部とを含む。このように構成すれば、原稿排紙部から上方に向かって延びる規制部により、排紙された原稿の排紙方向への移動を容易に規制することができる。また、規制部の上部から排紙方向に沿って延びるように形成された原稿支持部により、原稿トレイに配置された原稿の一部分を容易に支持することができる。
【００１０】
上記規制部と原稿支持部とを原稿ストッパが含む構成において、好ましくは、原稿トレイは、原稿が配置される配置面を有しており、排紙ストッパの原稿支持部は、原稿トレイの配置面の高さ以上の位置で原稿を支持する支持面を有する。このように構成すれば、水平かまたは支持面側で原稿が上方に傾いた状態で、原稿を読取部に送ることができる。その結果、支持面側で原稿が下方に垂れた状態で原稿を読取部に送る場合と比べて、原稿を読取部に送る給紙性能が低下するのを抑制することができる。
【００１１】
上記規制部と原稿支持部とを原稿ストッパが含む構成において、好ましくは、排紙ストッパの原稿支持部は、原稿の排出方向において、原稿トレイと離間した位置に設けられている。このように構成すれば、排紙ストッパの原稿支持部と原稿トレイとの間から、原稿排紙部に排紙された原稿を容易に視認することができる。その結果、原稿排紙部に排紙された原稿の視認性を向上させることができる。
【００１２】
上記規制部と原稿支持部とを原稿ストッパが含む構成において、好ましくは、排紙ストッパの原稿支持部は、原稿の排紙方向を含む面内における排紙方向とは直交する方向において、原稿支持部により支持される原稿の幅よりも小さい幅を有する。このように構成すれば、排紙ストッパの原稿支持部を排紙方向とは直交する方向に小型化することができるので、その分、排紙ストッパを小型化することができる。
【００１３】
上記規制部と原稿支持部とを原稿ストッパが含む構成において、好ましくは、排紙ストッパの原稿支持部は、原稿の排紙方向に沿って原稿トレイ側に向かって延びるように形成されており、排紙ストッパは、少なくとも原稿支持部が排紙方向側に向かって移動可能に構成されている。このように構成すれば、排紙方向に沿って原稿トレイ側に向かって延びるように原稿支持部を形成することにより、原稿の読み取り前には、原稿トレイに配置された原稿の一部分を原稿支持部により確実に支持することができる。また、少なくとも原稿支持部が排紙方向側に向かって移動可能に構成することにより、原稿の読み取り後には、排紙方向側に向かって原稿支持部を移動させて、原稿の取り出しの際に原稿支持部が干渉するのを抑制することができる。これにより、原稿排紙部に排紙された原稿を容易に取り出すことができる。
【００１４】
この場合、好ましくは、排紙ストッパは、少なくとも原稿支持部が排紙方向側に向かって回動可能に構成されている。このように構成すれば、簡素な構成により、排紙方向側に向かって原稿支持部を回動させて、原稿排紙部に排紙された原稿を容易に取り出すことができる。
【００１５】
上記規制部と原稿支持部とを原稿ストッパが含む構成において、好ましくは、排紙ストッパは、原稿の排紙方向に沿ってスライド移動することによって、原稿支持部と原稿トレイとの間隔を調整可能に構成されている。このように構成すれば、画像読取装置が複数種類の大きさの原稿に対応している場合に、複数種類の大きさの原稿に対応させて原稿支持部と原稿トレイとの間隔を調整することができる。その結果、複数種類の大きさの原稿のうちいずれの原稿を読み取る場合にも、原稿トレイに配置された原稿の一部分を原稿支持部により確実に支持することができる。
【００１６】
この発明の第２の局面による原稿搬送装置は、原稿を搬送するための搬送部と、搬送部により搬送される原稿が配置される原稿トレイと、搬送部により搬送された原稿が排紙される原稿排紙部と、原稿トレイに配置された原稿の少なくとも一部分を支持し、原稿排紙部に排紙された原稿の排紙方向への移動を規制する排紙ストッパと、を備える。
【００１７】
この発明の第２の局面による原稿搬送装置では、上記のように、原稿トレイに配置された原稿の少なくとも一部分を支持し、原稿排紙部に排紙された原稿の排紙方向への移動を規制する排紙ストッパを設ける。これにより、この第３の局面による原稿搬送装置においても、原稿トレイの小型化を図ることにより原稿トレイの製造設備の大型化を抑制することができる。
【発明の効果】
【００１８】
本発明によれば、上記のように、原稿トレイの小型化を図ることにより原稿トレイの製造設備の大型化を抑制することが可能な画像読取装置および原稿搬送装置を提供することができる。
【図面の簡単な説明】
【００１９】
【図１】本発明の第１〜第３実施形態による画像形成装置の構成を示すブロック図である。
【図２】本発明の第１実施形態による読取ユニットの斜視図である。
【図３】本発明の第１実施形態による読取ユニットを側方から見た図である。
【図４】本発明の第１実施形態による読取ユニットを原稿の排紙方向から見た図である。
【図５】本発明の第２実施形態による読取ユニットを側方から見た図である。
【図６】本発明の第２実施形態による読取ユニットの斜視図である。
【図７】本発明の第３実施形態による読取ユニットを側方から見た図である。
【図８】本発明の第３実施形態による読取ユニットの斜視図である。
【図９】本発明の第１〜第３実施形態の第１変形例による読取ユニットを説明するための図である。
【図１０】本発明の第１〜第３実施形態の第２変形例による読取ユニットの排紙ストッパを説明するための図である。
【図１１】本発明の第１〜第３実施形態の第３変形例による読取ユニットを説明するための図である。
【図１２】本発明の第１〜第３実施形態の第４変形例による読取ユニットを説明するための図である。
【図１３】本発明の第１〜第３実施形態の第５変形例による読取ユニットを説明するための図である。
【図１４】本発明の第１〜第３実施形態の第６変形例による読取ユニットを説明するための図である。
【図１５】本発明の第１〜第３実施形態の第７変形例による読取ユニットを説明するための図である。
【発明を実施するための形態】
【００２０】
以下、本発明を具体化した実施形態を図面に基づいて説明する。
【００２１】
（第１実施形態）
まず、図１を参照して、本発明の第１実施形態による画像形成装置１００の構成について説明する。
【００２２】
本発明の第１実施形態による画像形成装置１００は、読取ユニット１と、印刷ユニット２と、制御部３とを備えている。読取ユニット１は、原稿Ｐ（図２参照）の画像を読み取るためのユニットである。詳細には、読取ユニット１は、原稿Ｐの画像を読み取るための読取部１１と、原稿Ｐを搬送するための読取搬送部１２とを備えている。印刷ユニット２は、読取ユニット１により読み取られた原稿Ｐの画像を印刷するためのユニットである。詳細には、印刷ユニット２は、読み取られた原稿Ｐの画像を図示しない記録紙に印刷するための印刷部２１と、記録紙を搬送するための印刷搬送部２２とを備えている。制御部３は、読取ユニット１と、印刷ユニット２とを制御するように構成されている。画像形成装置１００は、画像の印刷や、画像の読み取り、画像の複写などを行うことが可能な複合機である。なお、画像形成装置１００は、本発明の「画像読取装置」の一例である。また、読取搬送部１２は、本発明の「搬送部」の一例である。以下、図２〜図４を参照して、読取ユニット１について詳細に説明する。
【００２３】
図２および図３に示すように、読取ユニット１は、２つの読取部１１（１１ａおよび１１ｂ）が内部に配置される筐体３０と、筐体３０の上方（Ｚ１方向）に配置される原稿供給部４０とを備えている。原稿供給部４０は、図示しない係合部により筐体３０に対して開閉可能に係合されている。
【００２４】
筐体３０内には、Ｘ１側に読取部１１ａが、Ｘ２側に読取部１１ｂが設けられている。Ｘ１側の読取部１１ａは、原稿供給部４０により供給される原稿Ｐの画像を読み取るための読取部である。また、Ｘ２側の読取部１１ｂは、原稿供給部４０を上方に向けて開放することにより露出する筐体３０の図示しない上面（載置面）に載置された原稿Ｐの画像を読み取るための読取部である。読取部１１ａおよび１１ｂは、共に、原稿Ｐに対して光を照射する図示しない光源部と、原稿面から反射された光を検出する図示しないセンサ部とを有し、原稿Ｐの画像を光学的に読み取り可能に構成されている。
【００２５】
原稿供給部４０には、Ｘ１側に搬送配置部４１が設けられている。搬送配置部４１は、略箱形状を有し、内部に読取搬送部１２が配置されている。また、搬送配置部４１は、Ｘ２側の側面に、原稿Ｐを給紙するための供給口４１ａと、原稿Ｐを排紙するための排紙口４１ｂとを有している。読取搬送部１２は、読み取り前の原稿Ｐを供給口４１ａからＸ１方向に向かって給紙し、読取部１１ａに向けて搬送するとともに、読み取り後の原稿Ｐを排紙口４１ｂからＸ２方向に向かって排紙するように構成されている。なお、本明細書では、読み取り前の原稿Ｐが給紙される方向をＸ１方向とし、読み取り後の原稿Ｐが排紙される方向をＸ２方向とし、原稿Ｐが給紙または排紙のため搬送される方向をＸ方向とする。また、Ｘ方向を含む水平面内におけるＸ方向と直交する方向をＹ方向とする。また、Ｘ方向およびＹ方向を含む水平面と直交する上方向をＺ１方向とし、下方向をＺ２方向とし、上方向および下方向を含む上下方向をＺ方向とする。なお、Ｘ２方向は、本発明の「排紙方向」の一例である。
【００２６】
また、原稿供給部４０には、読取搬送部１２により搬送され、読取部１１ａにより読み取られる読み取り前の原稿Ｐが配置される原稿トレイ４２が設けられている。原稿トレイ４２には、１または複数の原稿Ｐを配置することが可能である。また、原稿トレイ４２は、後述する原稿排紙部４３の上方（Ｚ１方向）において、供給口４１ａからＸ２方向に向かって延びるように形成されている。また、原稿トレイ４２は、原稿Ｐを配置するため原稿ＰのＹ方向の幅Ｗ１（図３参照）以上の幅を有する配置部４２ａと、給紙の際に原稿Ｐをガイドするため配置部４２ａのＹ方向の両端に設けられる１対の原稿ガイド部４２ｂとを有している。配置部４２ａの上面は、原稿Ｐが配置される配置面４２ｃを形成している。
【００２７】
また、原稿供給部４０には、読取搬送部１２により搬送され、読取部１１により読み取られた読み取り後の原稿Ｐが排紙される原稿排紙部４３が設けられている。つまり、原稿排紙部４３には、原稿トレイ４２に配置された１または複数の原稿Ｐが排紙される。また、原稿排紙部４３は、搬送配置部４１の排紙口４１ｂからＸ２方向に向かって延びるように形成されている。また、原稿排紙部４３の上面は、排紙された原稿Ｐが配置される配置面４３ａを形成している。
【００２８】
原稿搬送部４０の原稿排紙部４３には、排紙された原稿Ｐの排紙方向（Ｘ２方向）への移動を規制し、原稿排紙部４３からの落下を防止するための排紙ストッパ５０が設けられている。排紙ストッパ５０は、図示しないフック機構により原稿排紙部４３に着脱可能に固定されている。
【００２９】
ここで、第１実施形態では、排紙ストッパ５０は、排紙された原稿Ｐの排紙方向への移動を規制するための規制部５１と、原稿トレイ４２に配置された原稿Ｐの少なくとも一部分を支持する原稿支持部５２とを含んでいる。原稿搬送部４０では、読み取り前の原稿Ｐは、原稿排紙部４３の上方において、原稿トレイ４２の配置面４２ｃと、原稿支持部５２の上面である支持面５２ａとにまたがって配置される。
【００３０】
排紙ストッパ５０の規制部５１は、原稿排紙部４３から上下方向（Ｚ方向）に沿って上方に向かって延びるように形成されている。言い換えると、規制部５１は、原稿排紙部４３の配置面４３ａに対して略直交するように上方に向かって延びるように形成されている。これにより、排紙された原稿Ｐの移動を確実に規制することが可能であるとともに、排紙された原稿ＰのＸ２側の端部を上下方向に沿って揃えることが可能である。
【００３１】
排紙ストッパ５０の原稿支持部５２は、規制部５１の上端部からＸ方向に沿って原稿トレイ４２側（Ｘ１側）に向かって延びるように形成されている。図３に示すように、排紙ストッパ５０の規制部５１と原稿支持部５２とは、側方から見て（Ｙ方向から見て）略直交し、かつ、Ｌ字形状を有するように形成されている。また、排紙ストッパ５０では、規制部５１と原稿支持部５２とは、Ｌ字形状を有するように一体的に形成されている。
【００３２】
また、第１実施形態では、排紙ストッパ５０は、原稿排紙部４３の配置面４３ａに対する原稿トレイ４２の配置面４２ｃの高さＨ１と略同一の高さＨ２を有する。高さＨ２は、原稿排紙部４３の配置面４３ａに対する原稿支持部５２の支持面５２ａの高さである。つまり、原稿支持部５２の支持面５２ａは、原稿トレイ４２の配置面４２ｃと略同一の高さの位置で原稿Ｐを支持するように構成されている。これにより、原稿搬送部４０では、読み取り前の原稿Ｐが原稿トレイ４２および原稿支持部５２にまたがって、水平面（ＸＹ平面）に平行に配置される。
【００３３】
また、第１実施形態では、排紙ストッパ５０の原稿支持部５２は、原稿トレイ４２と離間間隔Ｄ１を有し、原稿トレイ４２と離間した位置に設けられている。つまり、原稿支持部５２と原稿トレイ４２との間には、原稿排紙部４３に排紙された原稿Ｐが上方から見て露出する空間が設けられている。この場合、空間部分で原稿Ｐが垂れ下がるのを抑制する観点から、原稿トレイ４２の配置面４２ｃと原稿支持部５２の支持面５２ａとにより、原稿Ｐの面積の半分以上が支持されるのが好ましい。
【００３４】
また、図４に示すように、排紙ストッパ５０の原稿支持部５２は、水平面（ＸＹ平面）内におけるＹ方向において、原稿支持部５２により支持される原稿ＰのＹ方向の幅Ｗ１よりも小さい幅Ｗ２を有している。
【００３５】
次に、図３を参照して、読取ユニット１の動作を説明する。
【００３６】
まず、原稿トレイ４２の配置面４２ｃと原稿支持部５２の支持面５２ａとにまたがった状態で、読み取り前の原稿Ｐが配置される。そして、原稿トレイ４２に配置された原稿Ｐが読取搬送部１２により供給口４１ａからＸ１方向に向かって搬送配置部４１内に給紙される。その後、搬送配置部４１内をＸ１方向からＸ２方向に折り返すようにして、読取搬送部１２により読取部１１ａに向けて原稿Ｐが搬送される。この際、読取部１１ａにより原稿Ｐの画像が読み取られる。そして、読取搬送部１２により読み取り後の原稿Ｐが排紙口４１ｂからＸ２方向に向かって原稿排紙部４３に排紙される。その後、排紙された原稿ＰのＸ２側の端部が排紙ストッパ５０の規制部５１に当接して、原稿Ｐの排紙方向（Ｘ２方向）への移動が規制される。次の原稿Ｐがある場合には、同様に、次の原稿Ｐが読取部１１ａにより読み取られ、読取搬送部１２により原稿排紙部４３に排紙される。
【００３７】
第１実施形態では、以下のような効果を得ることができる。
【００３８】
第１実施形態では、上記のように、原稿トレイ４２に配置された原稿Ｐの少なくとも一部分を支持し、原稿排紙部４３に排紙された原稿Ｐの排紙方向（Ｘ２方向）への移動を規制する排紙ストッパ５０を設ける。これにより、原稿トレイ４２に配置された原稿Ｐを排紙ストッパ５０により支持することができるので、その分だけ、原稿トレイ４２を小型化することができる。その結果、原稿トレイ４２を小型化した分だけ、原稿トレイ４２の樹脂成形機や、樹脂成形金型を小型化することができるので、原稿トレイ４２の小型化を図ることにより原稿トレイ４２の製造設備の大型化を抑制することができる。また、原稿排紙部４３に一般的に設けられる排紙ストッパ５０により原稿Ｐを支持することによって、原稿Ｐの支持部分を排紙ストッパ５０とは別個に設ける場合と異なり、部品点数が増加するのを抑制することができる。
【００３９】
また、第１実施形態では、上記のように、原稿排紙部４３から上方（Ｚ１方向）に向かって延びるように形成されている規制部５１と、規制部５１の上部から原稿Ｐの排紙方向（Ｘ２方向）に沿って延びるように形成されている原稿支持部５２とを原稿ストッパ５０に設ける。これにより、原稿排紙部４３から上方に向かって延びる規制部５１により、排紙された原稿Ｐの排紙方向への移動を容易に規制することができる。また、規制部５１の上部から排紙方向に沿って延びるように形成された原稿支持部５２により、原稿トレイ４２に配置された原稿Ｐの一部分を容易に支持することができる。
【００４０】
また、第１実施形態では、上記のように、側方から見て（Ｙ方向から見て）略直交するように規制部５１と原稿支持部５２とを形成する。これにより、規制部５１と原稿支持部５２とを簡素な形状で形成することができるので、排紙ストッパ５０の構成が複雑になるのを抑制することができる。
【００４１】
また、第１実施形態では、上記のように、原稿トレイ４２の配置面４２ｃの高さＨ１の位置で原稿Ｐを支持する支持面５２ａを排紙ストッパ５０の原稿支持部５２に設ける。これにより、原稿Ｐが原稿トレイ４２と原稿支持部５２とにまたがって水平に配置された状態で、原稿Ｐを読取部１１ａに送ることができる。その結果、支持面５２ａ側（Ｘ２側）で原稿Ｐが下方に垂れた状態で原稿Ｐを読取部１１ａに送る場合と比べて、原稿Ｐを読取部１１ａに送る給紙性能が低下するのを抑制することができる。
【００４２】
また、第１実施形態では、上記のように、原稿Ｐの排出方向（Ｘ２方向）において、原稿トレイ４２と離間した位置に排紙ストッパ５０の原稿支持部５２を設ける。これにより、排紙ストッパ５０の原稿支持部５２と原稿トレイ４２との間から、原稿排紙部４３に排紙された原稿Ｐを容易に視認することができる。その結果、原稿排紙部４３に排紙された原稿Ｐの視認性を向上させることができる。
【００４３】
また、第１実施形態では、上記のように、水平面（ＸＹ平面）内における原稿Ｐの排紙方向とは直交するＹ方向において、原稿支持部５２により支持される原稿Ｐの幅Ｗ１よりも小さい幅Ｗ２を有するように排紙ストッパ５０の原稿支持部５２を構成する。これにより、排紙ストッパ５０の原稿支持部５２を排紙方向とは直交するＹ方向に小型化することができるので、その分、排紙ストッパ５０を小型化することができる。
【００４４】
（第２実施形態）
次に、図１、図５および図６を参照して、第２実施形態について説明する。この第２実施形態では、排紙ストッパ５０が原稿排紙部４３に固定されていた上記第１実施形態とは異なり、排紙ストッパ１５０が回動する例について説明する。
【００４５】
本発明の第２実施形態による画像形成装置２００は、図１に示すように、読取ユニット１０１を備える点で、画像形成装置１００とは相違する。また、読取ユニット１０１は、原稿搬送部１４０に原稿排紙部１４３と排紙ストッパ１５０（図５参照）とが設けられる点で、読取ユニット１とは相違する。なお、画像形成装置２００は、本発明の「画像読取装置」の一例である。また、上記第１実施形態と同一の構成については、同じ符号を付してその説明を省略する。
【００４６】
第２実施形態では、図５に示すように、原稿搬送部１４０の原稿排紙部１４３には、排紙ストッパ１５０が設けられている。排紙ストッパ１５０は、規制部５１と、原稿支持部５２とに加えて、さらにＹ方向に沿って延びる回動軸１５３を含んでいる。この回動軸１５３は、規制部５１と原稿支持部５２とを回転移動（回動）させるために設けられている。また、原稿排紙部１４３は、回動軸１５３を回動可能に支持するように構成されている。
【００４７】
具体的には、第２実施形態では、排紙ストッパ１５０は、規制部５１および原稿支持部５２が回動軸１５３周りに回動可能に構成されている。より具体的には、排紙ストッパ１５０は、規制部５１がＺ方向に延び、原稿支持部５２がＸ方向に延びており、原稿Ｐを支持面５２ａに配置可能な第１状態から、規制部５１および原稿支持部５２が排紙方向側（Ｘ２側）に向かって回動軸１５３周りに約９０度回動するように構成されている。これにより、図６に示すように、排紙ストッパ１５０は、規制部５１がＸ方向に延び、原稿支持部５２がＺ方向に延びており、原稿Ｐが上方から見て露出する第２状態になるように構成されている。また、排紙ストッパ１５０は、第２状態から、規制部５１および原稿支持部５２が排紙方向側とは反対側（Ｘ１側）に向かって回動軸１５３周りに約９０度回転することにより、第１状態になるように構成されている。
【００４８】
以上のように、第２実施形態では、読取ユニット１０１（原稿搬送部１４０）は、原稿Ｐを原稿トレイ４２に配置する場合には、排紙ストッパ１５０を第１状態とし、原稿Ｐを配置可能とすることができるとともに、原稿Ｐを原稿排紙部４３から取り出す場合には、排紙ストッパ１５０を第２状態とし、原稿Ｐを取り出すことが可能に構成されている。
【００４９】
なお、第２実施形態のその他の構成は、上記第１実施形態と同様である。
【００５０】
第２実施形態では、以下のような効果を得ることができる。
【００５１】
第２実施形態では、上記のように、原稿トレイ４２に配置された原稿Ｐの少なくとも一部分を支持し、原稿排紙部１４３に排紙された原稿Ｐの排紙方向（Ｘ２方向）への移動を規制する排紙ストッパ１５０を設ける。これにより、上記第１実施形態と同様に、原稿トレイ４２の小型化を図ることにより原稿トレイ４２の製造設備の大型化を抑制することができる。
【００５２】
また、第２実施形態では、上記のように、排紙方向（Ｘ２方向）に沿って原稿トレイ４２側（Ｘ１側）に向かって延びるように排紙ストッパ１５０の原稿支持部５２を形成する。そして、規制部５１および原稿支持部５２が排紙方向側（Ｘ２側）に向かって移動可能に排紙ストッパ１５０を構成する。これにより、排紙方向に沿って原稿トレイ４２側に向かって延びるように原稿支持部５２を形成することにより、原稿Ｐの読み取り前には、原稿トレイ４２に配置された原稿Ｐの一部分を原稿支持部５２により確実に支持することができる。また、規制部５１および原稿支持部５２が排紙方向側に向かって移動可能に排紙ストッパ１５０を構成することにより、原稿Ｐの読み取り後には、排紙方向側に向かって規制部５１および原稿支持部５２を移動させて、原稿Ｐの取り出しの際に原稿支持部５２が干渉するのを抑制することができる。これにより、原稿排紙部１４３に排紙された原稿Ｐを容易に取り出すことができる。
【００５３】
また、第２実施形態では、上記のように、規制部５１および原稿支持部５２が排紙方向側に向かって回動可能に排紙ストッパ１５０を構成されている。これにより、簡素な構成により、排紙方向側に向かって規制部５１および原稿支持部５２を回動させて、原稿排紙部１４３に排紙された原稿Ｐを容易に取り出すことができる。
【００５４】
なお、第２実施形態のその他の効果は、上記第１実施形態と同様である。
【００５５】
（第３実施形態）
次に、図１、図７および図８を参照して、第３実施形態について説明する。この第３実施形態では、排紙ストッパ５０が原稿排紙部４３に固定されていた上記第１実施形態とは異なり、排紙ストッパ２５０がスライド移動する例について説明する。
【００５６】
本発明の第３実施形態による画像形成装置３００は、図１に示すように、読取ユニット２０１を備える点で、画像形成装置１００とは相違する。また、読取ユニット２０１は、原稿搬送部２４０に原稿排紙部２４３と排紙ストッパ２５０（図７参照）とが設けられる点で、読取ユニット１とは相違する。なお、画像形成装置３００は、本発明の「画像読取装置」の一例である。また、上記第１実施形態と同一の構成については、同じ符号を付してその説明を省略する。
【００５７】
第３実施形態では、図７および図８に示すように、原稿搬送部２４０の原稿排紙部２４３には、排紙ストッパ２５０が設けられている。排紙ストッパ２５０は、規制部５１と、原稿支持部５２とに加えて、さらに規制部５１の下端部に設けられる略板状のスライド部２５４を含んでいる。また、原稿排紙部２４３には、スライド部２５４のＹ方向の両端部が嵌合する溝部２４３ｂが設けられている。溝部２４３ｂは、排紙ストッパ２５０がＸ方向に沿ってスライド移動可能なようにスライド部２５４と嵌合するように構成されている。
【００５８】
また、第３実施形態では、排紙ストッパ２５０は、スライド部２５４と溝部２４３ｂとが嵌合した状態で、Ｘ方向に沿ってスライド移動することが可能に構成されている。また、排紙ストッパ２５０は、Ｘ方向に沿ってスライド移動することによって、原稿支持部５１と原稿トレイ４２との離間間隔Ｄ１を調整可能に構成されている。具体的には、図７に示すように、排紙ストッパ２５０は、原稿支持部５１と原稿トレイ４２とが最も離れた離間間隔Ｄ１の第３状態から、原稿支持部５１と原稿トレイ４２とが最も近付いた離間間隔Ｄ２の第４状態までの間で、原稿支持部５１と原稿トレイ４２との離間間隔Ｄ１をΔＤ（＝Ｄ１−Ｄ２）分だけ調整可能に構成されている。
【００５９】
以上のように、第３実施形態では、読取ユニット２０１（原稿搬送部２４０）は、大きいサイズの原稿Ｐを原稿トレイ４２に配置する場合には、排紙ストッパ２５０を第３状態とし、小さいサイズの原稿Ｐを原稿トレイ４２に配置する場合には、排紙ストッパ２５０を第４状態とすることによって、サイズの異なる原稿Ｐに対応することが可能に構成されている。
【００６０】
なお、第３実施形態のその他の構成は、上記第１実施形態と同様である。
【００６１】
第３実施形態では、以下のような効果を得ることができる。
【００６２】
第３実施形態では、上記のように、原稿排紙部２４３に排紙された原稿Ｐの排紙方向（Ｘ２方向）への移動を規制するための規制部５１と、原稿トレイ４２に配置された原稿Ｐの少なくとも一部分を支持する原稿支持部５２とを含む排紙ストッパ２５０を設ける。これにより、上記第１実施形態と同様に、原稿トレイ４２の小型化を図ることにより原稿トレイ４２の製造設備の大型化を抑制することができる。
【００６３】
また、第３実施形態では、上記のように、Ｘ方向に沿ってスライド移動することによって、原稿支持部５２と原稿トレイ４２との離間間隔Ｄ１を調整可能に排紙ストッパ２５０を構成する。これにより、画像形成装置３００が複数種類の大きさの原稿Ｐに対応している場合に、複数種類の大きさの原稿Ｐに対応させて原稿支持部５２と原稿トレイ４２との離間間隔Ｄ１を調整することができる。その結果、複数種類の大きさの原稿Ｐのうちいずれの原稿Ｐを読み取る場合にも、原稿トレイ４２に配置された原稿Ｐの一部分を原稿支持部５２により確実に支持することができる。
【００６４】
なお、第３実施形態のその他の効果は、上記第１実施形態と同様である。
【００６５】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【００６６】
たとえば、上記第１〜第３実施形態では、本発明を読取ユニット１（１０１、２０１）と印刷ユニット２とを備える複合機としての画像形成装置１００（２００、３００）に適用した例を示したが、本発明はこれに限られない。本発明は、複合機としての画像形成装置以外の装置に適用してもよい。たとえば、本発明の読取ユニット１（１０１、２０１）からなる画像読取装置に適用してもよいし、本発明の原稿搬送部４０（１４０、２４０）からなる原稿搬送装置に適用してもよい。
【００６７】
また、上記第１〜第３実施形態では、Ｘ方向に沿って原稿トレイ４２側に向かって延びるように原稿支持部５２を形成した例を示したが、本発明はこれに限られない。本発明では、Ｘ方向に沿って原稿トレイとは反対側に向かって延びるように原稿支持部を形成してもよい。
【００６８】
また、上記第１〜第３実施形態では、原稿トレイ４２の配置面４２ｃと略同一の高さの位置で原稿Ｐを支持するように原稿支持部５２の支持面５２ａを構成した例を示したが、本発明はこれに限られない。本発明では、原稿トレイの配置面よりも高い位置で原稿を支持するように原稿支持部の支持面を構成してもよい。たとえば、図９に示す第１変形例のように、排紙ストッパ３５０の原稿支持部３５２の支持面３５２ａを水平面（ＸＹ平面）に対して所定の角度だけ傾斜させることにより、支持面３５２ａを原稿トレイ４２の配置面４２ｃよりも高さΔＨだけ高い位置で原稿を支持するように構成してもよい。これにより、原稿トレイ４２および原稿支持部３５２に原稿が配置された場合に、供給口４１ａに向けて原稿が下り勾配を有するように配置することができるので、原稿を読取部１１ａに送る給紙性能が低下するのをより抑制することができる。また、排紙ストッパの原稿支持部の支持面を水平面（ＸＹ平面）に対して所定の角度だけ傾斜させることなく、支持面を原稿トレイの配置面よりも高さΔＨだけ高い位置で原稿を支持するように構成してもよい。
【００６９】
また、上記第１〜第３実施形態では、排紙ストッパ５０（１５０、２５０）に図２などに示すような原稿支持部５２を設けた例を示したが、本発明はこれに限られない。本発明では、図１０に示す第２変形例のように、排紙ストッパ４５０の原稿支持部４５２に軽量化のための肉抜き部４５５をさらに設けてもよい。排紙ストッパ４５０の原稿支持部４５２は、Ｙ方向の略中央部分にＸ２方向に向かって凹む肉抜き部４５５が設けられている。これにより、肉抜き部４５５を設けた分、排紙ストッパ４５０を軽量化することができる。
【００７０】
また、上記第１〜第３実施形態では、原稿排紙部４３から上下方向に沿って上方に向かって延びるように排紙ストッパ５０の規制部５１を形成した例を示したが、本発明はこれに限られない。本発明では、たとえば、図１１に示す第３変形例のように、排紙ストッパ５５０の規制部５５１を、原稿排紙部４３（１４３、２４３）の配置面４３ａに対して所定の角度傾斜するように上方、かつ、排紙方向に延びるように形成してもよい。これにより、排紙された原稿を排紙方向側（Ｘ２側）にさらに逃がすことができるので、排紙口４１ｂから排紙される原稿が紙詰まりを起こすのを抑制することができる。また、図１２に示す第４変形例のように、排紙ストッパ６５０の規制部６５１を、原稿排紙部４３の配置面４３ａに対して所定の角度傾斜するように上方、かつ、排紙方向に延びる傾斜部６５１ａと、原稿排紙部４３（１４３、２４３）の配置面４３ａに対して略直交するように上方に延びる直交部６５１ｂとを含むように構成してもよい。これによっても、第３変形例と同様の効果を得ることができる。
【００７１】
また、上記第２実施形態では、規制部５１および原稿支持部５２が排紙方向（Ｘ２方向）に向かって回動軸１５３周りに回動することにより、原稿Ｐを支持面５２ａに配置可能な第１状態から、原稿Ｐが上方から見て露出する第２状態になるように排紙ストッパ１５０を構成した例を示したが、本発明はこれに限られない。本発明では、少なくとも原稿支持部が排紙方向側に向かって回動以外の移動をすることにより、原稿を支持面に配置可能な第１状態から、原稿が上方から見て露出する第２状態になるように排紙ストッパを構成してもよい。たとえば、原稿支持部が排紙方向側に向かってスライド移動することにより、第１状態から第２状態になるように排紙ストッパを構成してもよい。
【００７２】
また、上記第２実施形態では、規制部５１および原稿支持部５２が排紙方向側に向かって回動軸１５３周りに回動可能に排紙ストッパ１５０を構成した例を示したが、本発明はこれに限られない。本発明では、少なくとも原稿支持部が回動可能に排紙ストッパを構成してもよい。たとえば、図１３に示す第５変形例のように、排紙ストッパ７５０の規制部５１と原稿支持部７５２との間に回動軸７５３を設け、原稿支持部７５２のみが排紙方向側に向かって回動軸７５３周りに回動可能に排紙ストッパ７５０を構成してもよい。これにより、原稿支持部７５２を回動させるだけでよいので、排紙ストッパ７５０の構成をより簡素にすることができる。
【００７３】
また、上記第３実施形態では、排紙ストッパ２５０の全体がＸ方向に沿って移動することによって、原稿支持部５１と原稿トレイ４２との離間間隔Ｄ１を調整可能に構成した例を示したが本発明はこれに限られない。本発明では、少なくとも原稿支持部がＸ方向に沿って移動することによって、原稿支持部と原稿トレイとの離間間隔を調整可能に構成してもよい。たとえば、図１４に示す第６変形例のように、排紙ストッパ８５０の原稿支持部８５２の内部に収納可能な引出部８５６を設け、引出部８５６をＸ方向に沿ってスライド移動することによって、原稿支持部８５２と原稿トレイ４２との離間間隔を調整可能に構成してもよい。この場合、引出部８５６は、本発明の「原稿支持部」の一例である。
【００７４】
また、上記第１〜第３実施形態では、規制部５１と原稿支持部５２とが設けられた排紙ストッパ５０（１５０、２５０）の例を示したが、本発明はこれに限られない。本発明では、排紙ストッパに、規制部と原稿支持部と以外が設けられてもよい。たとえば、図１５に示す第７変形例のように、排紙ストッパ９５０に、規制部５１の上端部から上方に向かって延びる上側規制部９５７が設けられてもよい。これにより、原稿トレイ４２と原稿支持部５２とにまたがって原稿を配置する場合に、原稿を所定の位置に容易に配置することができる。また、図１５に示す第７変形例のように、排紙ストッパ９５０がＸ方向に沿ってスライド移動可能な場合には、上側規制部９５７を設けることにより、上側規制部９５７の位置を原稿のサイズに対応する位置に合わせなければ、原稿トレイ４２と原稿支持部５２とに原稿を配置することができないようにすることができる。その結果、排紙ストッパ９５０をＸ１側にスライド移動させた状態で比較的大きいサイズの原稿の読み取りを行った場合に、排紙された原稿がＸ１側に近寄った状態の規制部５１に当接し、原稿の排紙が阻害されるのを抑制することができる。したがって、紙詰まりが起こるのを抑制することができる。
【符号の説明】
【００７５】
１１  読取部
１２  読取搬送部
４２  原稿トレイ
４２ａ  配置面
４３、１４３、２４３  原稿排紙部
５０、１５０、２５０、３５０、４５０、５５０、６５０、７５０、８５０、９５０  排紙ストッパ
５１、５５１、６５１  規制部
５２、３５２、４５２、７５２、８５２  原稿支持部
５２ａ、３５２ａ  支持面
１００、２００、３００  画像形成装置（画像読取装置）
Ｐ  原稿
【図１】
2016108063.tif 000003
【図２】
2016108063.tif 000004
【図３】
2016108063.tif 000005
【図４】
2016108063.tif 000006
【図５】
2016108063.tif 000007
【図６】
2016108063.tif 000008
【図７】
2016108063.tif 000009
【図８】
2016108063.tif 000010
【図９】
2016108063.tif 000011
【図１０】
2016108063.tif 000012
【図１１】
2016108063.tif 000013
【図１２】
2016108063.tif 000014
【図１３】
2016108063.tif 000015
【図１４】
2016108063.tif 000016
【図１５】
2016108063.tif 000017